【手続補正書】
【提出日】平成28年4月8日(2016.4.8)
【手続補正１】
【補正対象書類名】特許請求の範囲
【補正対象項目名】全文
【補正方法】変更
【補正の内容】
【特許請求の範囲】
【請求項１】
セルラ無線通信システム（１１０）における干渉を軽減するためのスケジューリング装置（１０９）であって、
前記通信システム（１１０）の第１の無線通信端末（１０１）と第２の無線通信端末（１０２）との間で直接無線通信を設定すべきという指示を取得すること（１）と、
測定結果が前記第２の端末（１０２）から前記第１の端末（１０１）へのシグナリングの干渉のリスクを示している、前記通信システム（１１０）の少なくとも１つの指標を測定すること（２）と、
前記測定結果（２）に基づいて、前記第１の端末（１０１）から前記第２の端末（１０２）への直接通信の送信のための、シグナリングの第１の量を定義している、周波数および／または時間リソースの第１のセットを割り当てること（３）と、
前記測定結果（２）に基づいて、前記第２の端末（１０２）から前記第１の端末（１０１）への直接通信の送信のための、シグナリングの第２の量を定義している、周波数リソースおよび／または時間リソースの第２のセットを割り当てること（４）と
のために構成されたプロセッサ（２０１）を有し、
前記シグナリングの第２の量が、前記シグナリングの第１の量より小さいことを特徴とするスケジューリング装置。
【請求項２】
前記シグナリングの第２の量が０であることを特徴とする請求項１に記載のスケジューリング装置。
【請求項３】
周波数および／または時間のリソースの前記第２のセットは、前記第２の端末（１０２）から前記第１の端末（１０１）への直接通信の送信を、前記第１の端末（１０１）から受信した直接通信の送信に応じたフィードバック情報に制限することを特徴とする請求項１に記載のスケジューリング装置。
【請求項４】
前記プロセッサ（２０１）が、
ネットワークノード（１０６、１０７）経由で前記第１と第２の端末（１０１、１０２）の間の送信の超過分を送るために、周波数および／または時間リソースを割り当てる（１０）ために構成され、
前記送信の超過分は、直接通信に割り当てられた（３、４）前記周波数および／または時間リソースに起因して前記第１と第２の端末（１０１、１０２）の間で直接送ることができないことを特徴とする請求項１乃至３のいずれか一項に記載のスケジューリング装置。
【請求項５】
前記測定すること（２）は、前記通信システム（１１０）の第３の無線通信端末（１０３）とネットワークノード（１０６；１０７）との間の通信の干渉と関連した指標を測定することを含むことを特徴とする請求項１乃至４のいずれか一項に記載のスケジューリング装置。
【請求項６】
前記測定すること（２）は、前記通信システム（１１０）の第３の無線通信端末（１０３）と第４の無線通信端末（１０４）との間の直接通信の干渉と関連した指標を測定することを含むことを特徴とする請求項１乃至５のいずれか一項に記載のスケジューリング装置。
【請求項７】
前記測定すること（２）は、前記第１の無線通信端末（１０１）と前記第２の無線通信端末（１０２）のうちの少なくとも１つの位置と関連した指標を測定することを含むことを特徴とする請求項１乃至６のいずれか一項に記載のスケジューリング装置。
【請求項８】
前記測定すること（２）は、前記第１の無線通信端末（１０１）と前記第２の無線通信端末（１０２）との間に送信されるデータ量と関連した指標を測定することを含むことを特徴とする請求項１乃至７のいずれか一項に記載のスケジューリング装置。
【請求項９】
前記スケジューリング装置（１０９）の前記プロセッサ（２０１）が、割り当てられた（３、４）前記周波数および／または時間リソースについての情報を含むメッセージを前記第１の端末（１０１）と前記第２の端末（１０２）の少なくとも１つに無線で送信すること（５）のために構成された送信機（２０３）に関連づけられ、
前記プロセッサ（２０１）が、前記送信機（２０３）のために前記メッセージを準備し、供給するために構成される
ことを特徴とする請求項１乃至８のいずれか一項に記載のスケジューリング装置。
【請求項１０】
前記プロセッサ（２０１）が
少なくとも１つの指標を再測定すること（６）と、
前記再測定（６）に基づいて、前記第１および／または第２の端末（１０１、１０２）に割り当てられた（３、４）前記周波数および／または時間リソースが変更されるべきであるかどうかを判定すること（７）と、
前記リソースが変更されるべきであると判定したなら（７）、前記第１と第２の端末（１０１、１０２）の間の直接通信のための前記周波数および／または時間リソースの割当てを変更すること（８）と、
前記第１の端末（１０１）と前記第２の端末（１０２）の少なくとも１つへの無線送信（９）のために、前記送信機（２０３）のための、変更された（８）前記周波数および／または時間リソースの割り当てについての情報を含むメッセージを準備し、供給することと
のために構成されることを特徴とする請求項１乃至９のいずれか一項に記載のスケジューリング装置。
【請求項１１】
前記通信システム（１１０）のネットワークノードであって、該ネットワークノードに統合された請求項１乃至１０のいずれか一項に記載のスケジューリング装置（１０９）を含むことを特徴とするネットワークノード。
【請求項１２】
前記ネットワークノードは、前記第１と第２の端末（１０１、１０２）の両方が接続されている、前記通信システムの第１の無線基地局（ＲＢＳ）（１０６）であることを特徴とする請求項１１に記載のネットワークノード。
【請求項１３】
セルラ無線通信システム（１１０）における干渉を軽減するためのスケジューリング装置（１０９）における方法であって、
前記通信システム（１１０）の第１の無線通信端末（１０１）と第２の無線通信端末（１０２）との間で直接無線通信を設定すべきという指示を取得すること（１）と、
測定結果が前記第２の端末（１０２）から前記第１の端末（１０１）へのシグナリングの干渉のリスクを示している、前記通信システム（１１０）の少なくとも１つの指標を測定すること（２）と、
前記測定結果（２）に基づいて、前記第１の端末（１０１）から前記第２の端末（１０２）への直接通信の送信のための、シグナリングの第１の量を定義している、周波数リソースおよび時間リソースの一方または両方の第１のセットを割り当てること（３）と、
前記測定結果（２）に基づいて、前記第２の端末（１０２）から前記第１の端末（１０１）への直接通信の送信のための、シグナリングの第２の量を定義している、周波数および／または時間リソースの第２のセットを割り当てること（４）と
を有し、
前記シグナリングの第２の量が、前記シグナリングの第１の量より小さいことを特徴とする方法。
【請求項１４】
割り当てられた（３、４）前記周波数および／または時間リソースについての情報を含むメッセージを前記第１の端末（１０１）と前記第２の端末（１０２）の少なくとも１つに送信すること（５）を有することを特徴とする請求項１３に記載の方法。
【請求項１５】
少なくとも１つの指標を再測定すること（６）と、
前記再測定（６）に基づいて、前記第１および／または第２の端末（１０１、１０２）に割り当てられた（３、４）前記周波数および／または時間リソースが変更されるべきであるかどうかを判定すること（７）と、
前記リソースが変更されるべきであると判定したなら（７）、前記第１と第２の端末（１０１、１０２）の間の直接通信のための前記周波数および／または時間リソースの割当てを変更すること（８）と、
前記第１の端末（１０１）と前記第２の端末（１０２）の少なくとも１つに、変更された（８）前記周波数および／または時間リソースの割り当てについての情報を含むメッセージを送信すること（９）と
を有することを特徴とする請求項１３又は１４に記載の方法。
【請求項１６】
ネットワークノード（１０６、１０７）経由の前記第２の端末（１０２）から前記第１の端末（１０１）への通信の送信のための周波数および／または時間リソースの第３のセットを割り当てること（１０）を有することを特徴とする請求項１３乃至１５のいずれか一項に記載の方法。
【請求項１７】
コンピュータ実行可能コンポーネント（９１）がスケジューリング装置と関連づけられたプロセッサ（２０１）により実行される際に、請求項１３乃至１６のいずれか一項に記載の方法を前記スケジューリング装置（１０９）に実行させるためのコンピュータ実行可能コンポーネントを含むことを特徴とするコンピュータプログラム（９０）。
【請求項１８】
セルラ無線通信システム（１１０）における干渉を軽減するためのスケジューリング装置（１０９）のためのコンピュータプログラム（９１）であって、前記コンピュータプログラムは、前記スケジューリング装置のプロセッサ（２０１）で実行される際に、前記スケジューリング装置に、
前記通信システム（１１０）の第１の無線通信端末（１０１）と第２の無線通信端末（１０２）との間で直接無線通信を設定すべきという指示を取得（１）させ、
測定結果が前記第２の端末（１０２）から前記第１の端末（１０１）へのシグナリングの干渉のリスクを示している、前記通信システム（１１０）の少なくとも１つの指標を測定（２）させ、
前記測定結果（２）に基づいて、前記第１の端末（１０１）から前記第２の端末（１０２）への直接通信の送信のための、シグナリングの第１の量を定義している、周波数および／または時間リソースの第１のセットを割り当て（３）させ、
前記測定結果（２）に基づいて、前記第２の端末（１０２）から前記第１の端末（１０１）への直接通信の送信のために、シグナリングの第２の量を定義している、周波数および／または時間リソースの第２のセットを割り当て（４）させるためのコンピュータプログラムであって、
前記シグナリングの第２の量が、前記シグナリングの第１の量より小さいことを特徴とするコンピュータプログラム。
【請求項１９】
請求項１８に記載のコンピュータプログラム（９１）と、前記コンピュータプログラムを記憶したコンピュータ読取り可能手段（９２）とを含むことを特徴とするコンピュータプログラム記録媒体（９０）。
【請求項２０】
送信機（４０３）と受信機（４０４）とプロセッサ（４０１）とを有する無線通信端末（１０１、１０２）であって、前記プロセッサは、
他の無線通信端末（１０１、１０２）との直接通信のために割り当てた（３、４）周波数および／または時間リソースについての情報を前記受信機（４０４）から取得し、
前記送信機（４０３）により前記他の無線通信端末（１０１、１０２）に直接送られる送信を準備するために前記周波数および／または時間リソースを用い、
前記送信機（４０３）により前記他の無線通信端末（１０１、１０２）にネットワークノード（１０６、１０７）を経由して送られる送信の超過分であって、直接通信に割り当てられた前記周波数および／または時間リソースに起因して前記他の無線通信端末に直接送ることができない前記送信の超過分を準備することを特徴とする無線通信端末（１０１、１０２）。
【請求項２１】
無線通信端末（１０１、１０２）の方法であって、
他の無線通信端末（１０１、１０２）との直接通信のために割り当てた（３、４）周波数および／または時間リソースについての情報を無線インターフェイス上で受信し、
前記他の無線通信端末（１０１、１０２）に送信信号を直接送るために前記周波数および／または時間リソースを用い、
前記他の無線通信端末（１０１、１０２）にネットワークノード（１０６、１０７）を経由して、直接通信に割り当てられた前記周波数および時間リソースに起因して前記他の無線通信端末に直接送ることができない送信の超過分を送る
ことを特徴とする方法。